(57)【要約】【課題】空気調和機１とファンヒータ３を併用して運転する際の騒音を低減する。【解決手段】制御部１０には、現在の室温Ｔと設定室温Ｔ０の温度差によって送風ファン７の回転数を変更する送風ファン回転数設定部２７と、室外機１１へ信号を送る室外設定部２８と、室温センサ８の値を読み込んで記憶するメモリ装置２９とを備え、併用運転スイッチ２０にて併用運転モードが選択され、メモリ装置に記憶された第１の所定時間ｔ１前の室温Ｔ１と現在の室温Ｔを比較して、現在の室温Ｔが（室温Ｔ１＋所定温度差Ａ）より高いときには前記自動運転モードにて設定される送風ファン回転数Ｘよりも所定回転数Ｘ１低い回転数で前記送風ファンを運転する併用運転部３０を備えることで、併用運転時の騒音を小さくすることができる。【選択図】図３
2020012569.tif 000002
【特許請求の範囲】
【請求項１】
室内機上面に吸込口を、底面または前面に吹出口を形成し、
前記室内機内に熱交換器と送風ファンと室温センサと制御部とを有し、
他の暖房機の併用を考慮した併用運転モードの設定と、送風ファンの回転数や室外機の出力を自動で設定する自動運転モードの設定と、室温の設定や運転開始の操作を行う操作部と、設定状態を表示する表示部とを備えたリモコンを有し、
前記制御部には、現在の室温Ｔと設定室温Ｔ０の温度差によって前記送風ファンの回転数を変更する送風ファン回転数設定部と、前記室外機へ信号を送る室外設定部と、前記室温センサの値を読み込んで記憶するメモリ装置とを備え、
前記操作部にて併用運転モードが選択されている場合に、前記メモリ装置に記憶された第１の所定時間ｔ１前の室温Ｔ１と現在の室温Ｔを比較して、現在の室温Ｔが（室温Ｔ１＋所定温度差Ａ）より高いときには前記自動運転モードにて設定される送風ファン回転数Ｘよりも所定回転数Ｘ１低い回転数で前記送風ファンを運転する併用運転部を備えることを特徴とする空気調和機。
【請求項２】
前記併用運転部は、前記メモリ装置に記憶された第１の所定時間ｔ１より短い第２の所定時間ｔ２前の室温Ｔ２と現在の室温Ｔを比較して、現在の室温Ｔが（室温Ｔ２−所定温度差Ａ）より低いときには前記送風ファンの回転数を上昇し、前記自動運転モードにて設定される送風ファン回転数Ｘよりも所定回転数Ｘ２低い回転数で運転することを特徴とする請求項１に記載の空気調和機。
【請求項３】
前記併用運転部は、前記現在の室温Ｔが更に低下して（室温Ｔ２−所定温度差Ｂ）よりも低いときには、前記送風ファンの回転数を、前記自動運転モードにて設定される送風ファン回転数Ｘに変更することを特徴とする請求項２に記載の空気調和機。
【発明の詳細な説明】
【技術分野】
【０００１】
本発明は、一般家庭で使用する空気調和機に関するものである。
【背景技術】
【０００２】
従来より、複数の暖房機間で制御データを双方向通信で供給することで、それぞれの暖房機の特性に応じて運転をおこなうことで経済性や快適性を向上するものが有った。（例えば、特許文献１参照）
また、ファンヒータに併用運転モードを備え、空気調和機とファンヒータが同じ室内で一緒に使用するときには、ファンヒータを熱量が不足する運転開始時のみに使用し、ファンヒータの設定温度到達後にはファンヒータを自動的に停止することで、双方向通信を使用せずにそれぞれの暖房機の特性を利用して快適性を向上するものであった。（例えば、特許文献２参照）
【先行技術文献】
【特許文献】
【０００３】
【特許文献１】特開２００４−２５７６５６号公報
【特許文献２】特許６２５９７８５号公報
【発明の概要】
【発明が解決しようとする課題】
【０００４】
しかしながら、特許文献１の暖房機に使用される双方向通信を行うための装置は高価であり、一般家庭で使用するにはそぐわない。また、ファンヒータのように移動して使用するほとんどの暖房機は通信機能を備えていない。
また、特許文献２に示されているファンヒータは、室温がファンヒータの設定温度まで上昇後に停止し、空気調和機のみが運転を継続する。経済性や使用者の好みで、暖房機を主暖房として使用し、空気調和機を特に寒いときや室内の空気を循環して部屋全体を暖めたいときに副暖房として使用する場合、空気調和機の発生する騒音と、暖房機が発生する騒音が重なりとても煩わしいものだった。
【課題を解決するための手段】
【０００５】
本発明は上記課題を解決するため、室内機上面に吸込口を、底面または前面に吹出口を形成し、前記室内機内に熱交換器と送風ファンと室温センサと制御部とを有し、他の暖房機の併用を考慮した併用運転モードの設定と、送風ファンの回転数や室外機の出力を自動で設定する自動運転モードの設定と、室温の設定や運転開始の操作を行う操作部と、設定状態を表示する表示部とを備えたリモコンを有し、前記制御部には、現在の室温Ｔと設定室温Ｔ０の温度差によって前記送風ファンの回転数を変更する送風ファン回転数設定部と、前記室外機へ信号を送る室外設定部と、前記室温センサの値を読み込んで記憶するメモリ装置とを備え、前記操作部にて併用運転モードが選択されている場合に、前記メモリ装置に記憶された第１の所定時間ｔ１前の室温Ｔ１と現在の室温Ｔを比較して、現在の室温Ｔが（室温Ｔ１＋所定温度差Ａ）より高いときには前記自動運転モードにて設定される送風ファン回転数Ｘよりも所定回転数Ｘ１低い回転数で前記送風ファンを運転する併用運転部を備えるようにした。
【発明の効果】
【０００６】
本発明に係る空気調和機においては、空気調和機が設置された室内で暖房機が運転しているときには、送風ファンの回転数を低下することで騒音を低減することができる。
空気調和機の検知する室温によって暖房機が運転中かどうかを空気調和機単独で判断することで、双方向通信装置を必要とせずに簡単に騒音を低減できる。
【図面の簡単な説明】
【０００７】
【図１】本発明の一実施形態の概念図。
【図２】同空気調和機の制御構成図。
【図３】同併用運転を説明するフローチャート図。
【図４】同暖房自動運転時の送風ファン回転数。
【発明を実施するための形態】
【０００８】
次に、本発明の一実施形態について図面を基に説明する。図１は空気調和機１と暖房機２の概略を説明するための概念図。３は空気調和機１の室内機で、室内の天井付近の壁面に横長に設置される。室内機３は上面に室内の空気を吸い込む吸込口４を、底面から前面にかけて温度調節された空気を吹き出す吹出口５を有している。
【０００９】
室内機３内の吸込口４下方には断面形状が逆Ｖ字型の熱交換器６を有し、更にこの熱交換器６の下方に横長円柱状のクロスフロー型送風ファン７を有している。吸込口４と熱交換器６、送風ファン７、吹出口５とを連通して送風経路を形成し、送風ファン７の作動によって、吸込口４から吸い込んだ室内の空気を熱交換器６で加熱して吹出口５から室内の下方に温風を吹き出すことで室温を上昇させると共に、室内の空気を循環させる。吸込口４の下流側送風経路には室温センサ８を備え、吸い込んだ空気の温度を検知する。吹出口４には吹出空気の上下方向の吹出方向を調整すると共に、運転停止時には吹出口４閉じる上下風向板９を有する。１０は室内機３に備える制御部で、空気調和機１の運転制御を行う。
【００１０】
１１は空気調和機１の室外機で、室内機３と冷媒が循環する連絡配管１２と、制御部１０からの信号を伝達する連絡電線１３で接続される。室外機１１内には熱交換器６と冷媒配管で接続される圧縮機（図示せず）や室外熱交換器（図示せず）を有し、いわゆるヒートポンプサイクルを作動することで屋外の空気から吸収した熱によって熱交換器６を加熱して室内の暖房を行う。
【００１１】
前記暖房機２は石油ストーブや石油ファンヒータ、ガスファンヒータ等で、家庭で従来より一般的に使用される。（以後ファンヒータと言換える）ファンヒータ２は内部に燃焼バーナ１４と送風機１５を有し、石油やガスの燃料を燃焼バーナ１４で燃焼することで直接的に室内を暖房する。ファンヒータ２は安価であると共に、燃料費も安く、暖房が必要な部屋や場所を移動して使用できることから、主に使用する暖房として選択されることも多く、空気調和機１との関係も、使用者の好みに応じて使い分けられる。
【００１２】
図２は空気調和機１の制御構成図。１６は制御部１０と有線または無線で接続するリモコンで、空気調和機１の各種運転操作を行う操作部１７と、空気調和機１の設定状態を表示する表示部１８を有する。操作部１７には押圧によって空気調和機１の運転を開始する運転スイッチ１９と、他の暖房機２の併用を考慮した併用運転モードを選択をする併用運転スイッチ２０と、使用者の好みの室温を設定する温度設定スイッチ２１と、暖房運転、冷房運転、除湿運転、室温に応じて室外機１１や送風ファン７の出力を自動で設定する自動運転等の運転モードを選択する運転モードスイッチ２２と、おはようタイマーやおやすみタイマーを選択するタイマースイッチ２３とを有している。表示部１８は液晶パネルによって設定室温や暖房、冷房等の運転モードや、併用運転スイッチ２０によって併用運転モードが選択されているかを使用者が目視で確認できる。
【００１３】
２４はリモコン１６の受信装置で、リモコン１６から発信される運転信号や各種運転条件の設定を受信して制御部１０に伝達する。２５は送風ファン７を回転する室内送風モータで、ＤＣモータによって約７００〜１，６００ｒｐｍの範囲で多段階に回転数を可変する。２６は室内送風モータ２５の回転数を検知するモータセンサ。
【００１４】
制御部１０には、室温センサ８で検知した現在の室温Ｔと、リモコン１６で設定された設定室温Ｔ０との温度差によって、送風ファン７の回転数を変更する送風ファン回転数設定部２７と、室外機１１の出力を設定する室外設定部２８と、室温センサ８の値を定期的に読み込んで記憶するメモリ装置２９を備えている。また、制御部１０には、併用運転スイッチ２０で暖房機２の併用運転モードが選択されたときに、第１の所定時間ｔ１（１時間）前の室温Ｔ１と現在の室温Ｔを比較して、室温Ｔが１時間前の室温Ｔ０より所定温度差Ａ（０．５ｄｅｇ）高い時には、既にファンヒータ２が運転を開始していると判断して、送風ファン７の騒音を小さくするために、自動運転モードで設定される送風ファン回転数Ｘよりも所定回転数Ｘ１（２００ｒｐｍ）低い回転数で送風ファン７を運転する併用運転部３０を備える。
【００１５】
併用運転部３０は、メモリ装置２９に記憶された第１の所定時間ｔ１（１時間）より短い第２の所定時間ｔ２（１０分）前の室温Ｔ２と現在の室温Ｔを比較して、現在の室温Ｔが１０分前の室温Ｔ２よりも所定温度差Ａ（０．５ｄｅｇ）低いときには送風ファン７の回転数を上昇し、自動運転モードにて設定される送風ファン回転数Ｘよりも所定回転数Ｘ２（５０ｒｐｍ）低い回転数で運転することで、暖房能力を少し大きくして室温を上昇することで快適性を向上する。
【００１６】
また、併用運転部３０は、現在の室温Ｔが更に低下して１０分前の室温Ｔ２よりも所定温度差Ｂ（１．０ｄｅｇ）低いときには、送風ファン７の回転数を更に上昇し、自動運転モードにて設定される送風ファン回転数Ｘに変更するることで、室温の上昇を優先し、ファンヒータ２と空気調和機１で室温を上昇させ室内の快適性を向上する。
【００１７】
制御部１０の入力側には受信装置２４や室温センサ８、モータセンサ２６等が接続されている。制御部１０の出力側には送風モータ２５や室外機１１の室外制御部（図示せず）等が接続されている。
【００１８】
図４は暖房自動運転時の送風ファン回転数Ｘを示す表で、本実施形態では送風ファン７の回転数は強・中・弱（３・２・１）の三段階とし、現在の室温Ｔが設定室温Ｔ０よりも２．０ｄｅｇ以上低いときには室温Ｔを早く上昇するために、送風ファン７はフル運転の１，６００ｒｐｍで運転し、室温Ｔが上昇し、設定室温Ｔ０よりも２．０〜１．０ｄｅｇの間は、送風ファン７は中の１，１００ｒｐｍで運転し、設定室温Ｔ０よりも０．５ｄｅｇまで上昇したときには、送風ファン７は弱の７００ｒｐｍで騒音もほとんど無く運転できる。
【００１９】
図３のフローチャートで、ファンヒータ２を主暖房で運転し、空気調和機１を補助暖房として使用した場合の、空気調和機１の暖房併用運転について説明する。
リモコン１６で空気調和機１の運転を開始すれば（ｓ１）、ｓ２にて併用運転モードが選択されているかを判断する。併用運転モードは使用者が予め室内のファンヒータ２を主暖房として使用するかどうかを、使用者の好みに応じて設定する。併用運転モードを行わないＮｏの場合には、ｓ９に進んで通常の暖房自動運転を実施する。ｓ２にて併用運転モードを実施するＹｅｓの場合には、ｓ３に進む。
【００２０】
ｓ３ではすでに室内でファンヒータ２が運転中であるかどうかを判断する。１時間前の室温Ｔ１よりも現在の室温Ｔが０．５ｄｅｇ上昇していなければ、ファンヒータ２が燃料切れや別の部屋で使用されている等で暖房運転が行われていないので空気調和機１のみでフル運転の必要が有り、Ｎｏでｓ９に進んで通常の暖房自動運転を実施する。室温Ｔ１よりも現在の室温Ｔが０．５ｄｅｇ上昇していれば、既にファンヒータ２が室内で運転されているので、Ｙｅｓでｓ４に進み、空気調和機１はフル運転する必要が無いので送風ファン７の回転数を通常の自動運転の回転数Ｘよりも２００ｒｐｍ低くすることで室内機３から発生する風切り音の騒音を小さくし、ｓ５に進む。
【００２１】
ｓ５では室温Ｔが、１０分前の室温Ｔ２よりも下降しているかを判断する。室温Ｔが下降傾向にない場合は、Ｎｏでｓ４に戻り運転を継続します。室温Ｔが、室温Ｔ２よりも０．５ｄｅｇ下降しているときには、Ｙｅｓでｓ６に進み、これ以上室温Ｔが低下することを防止するために、送風ファン７の回転数を（回転数Ｘ−５０ｒｐｍ）まで上昇することで空気調和機１の暖房出力を向上させ、ｓ７に進む。
【００２２】
ｓ７では室温Ｔが、１０分前の室温Ｔ２よりも上昇したかを判断する。室温Ｔが上昇して、Ｔ２よりも高いときには、Ｙｅｓでｓ４に戻って送風ファン７の回転数を下げて空気調和機１の出力を下げ騒音を低下させる。室温Ｔが上昇しないときには、Ｎｏでｓ８に進む。
【００２３】
ｓ８では室温Ｔが更に低下しているかを判断する。室温Ｔが、１０分前の室温Ｔ２よりも更に低下して１．０ｄｅｇよりも低くなったときには、ファンヒータ２の燃料切れ等によって停止したり、使用者の都合で別の部屋の暖房用にファンヒータ２が移動されてファンヒータ２による暖房が停止されたと判断し、Ｙｅｓでｓ９に進んで、通常の自動暖房運転に戻って、空気調和機１の単独暖房に移行する。室温Ｔの更なる低下が無いときには、Ｎｏでｓ６に戻って暖房運転を継続する。
【００２４】
このように、本発明では空気調和機１が設置された室内でファンヒータ（暖房機）２が運転しているときには、送風ファン７の回転数を通常の自動暖房運転モードの回転数Ｘよりも低下することで騒音を低減することができる。
また、空気調和機１の検知する室温Ｔによってファンヒータ（暖房機）２が運転中かどうかを空気調和機１単独で判断することで、双方向通信装置を必要とせずに簡単に騒音を低減できる。
また、ファンヒータ（暖房機）２が燃料切れ等で停止したときには、室温Ｔの低下によって空気調和機１が単独で判断して空気調和機１の自動暖房運転モードに移行することで、室温の急激な低下を防止できる。
【００２５】
なお、本発明は上記一実施形態に限定されるものではなく、室内機３の大きさや空気調和機１の出力等の特性に応じて、所定温度差Ａや所定温度差Ｂの値や、送風ファン７の回転数を適宜変化して設定できるものであり、発明の要旨を変更しない範囲で改変可能なものである。
【符号の説明】
【００２６】
１  空気調和機
２  暖房機（ファンヒータ）
３  室内機
７  送風ファン
８  室温センサ
１０  制御部
１１  室外機
１６  リモコン
２７  送風ファン回転数設定部
２９  メモリ装置
３０  併用運転部
【図１】
2020012569.tif 000003
【図２】
2020012569.tif 000004
【図３】
2020012569.tif 000005
【図４】
2020012569.tif 000006